(57)【要約】【課題】床面上に粘着剤で貼り付けることにより敷設された既設のタイルカーペットに代えて交換用タイルカーペットを敷設するにあたり、該交換用タイルカーペットを汚れる度に交換・洗浄して繰り返し使用することができるように敷設する方法、及び、その敷設方法を利用した交換用タイルカーペットの再使用方法を提供する。【解決手段】既設のタイルカーペット８′を、粘着剤６を残存させた状態で床タイル４上から取り除く。既設のタイルカーペット８′を取り除いた床タイル４領域の略全体に、表面１２ａに自己粘着性を有する可撓性シート１２を、表面１２ａを上にして、粘着剤６で貼り付けて敷設する。床面領域の全体にわたって、該シート１２上に交換用タイルカーペット１０を着脱自在に敷設する。【選択図】図４（ｂ）
2008248569.tif 000002
【特許請求の範囲】
【請求項１】
床面上に粘着剤で貼り付けることにより敷設された既設のタイルカーペットに代えて、汚れる度に交換・洗浄して繰り返し使用するための交換用タイルカーペットを敷設する方法であって、
上記既設のタイルカーペットを、上記粘着剤の少なくとも一部を床面に残存させた状態で床面上から取り除き、
その既設のタイルカーペットを取り除いた床面領域の略全体に、可撓性のシートを、上記残存した粘着剤で貼り付けることにより敷設し、
上記床面領域の全体にわたって、該シート上に、上記交換用タイルカーペットを着脱自在に敷設する、
ことを特徴とする交換用タイルカーペットの敷設方法。
【請求項２】
上記シートが、少なくともその表面に自己粘着性を有しており、該表面を上にして敷設される、
ことを特徴とする請求項１に記載の交換用タイルカーペットの敷設方法。
【請求項３】
上記シートが、樹脂製の積層フィルムであって、その少なくとも表面側に自己粘着性樹脂層を有している、
ことを特徴とする請求項２に記載の交換用タイルカーペットの敷設方法。
【請求項４】
上記積層フィルムが、エチレンビニルアセテート、ポリエチレン及び自己粘着性エチレンビニルアセテートを順次積層したものである、
ことを特徴とする請求項３に記載の交換用タイルカーペットの敷設方法。
【請求項５】
上記交換用タイルカーペットが、カットパイルのみ又はカットパイル及びループパイルをニトリルゴムから成る基材に植設することにより構成されている、
ことを特徴とする請求項１〜４の何れかに記載の交換用タイルカーペットの敷設方法。
【請求項６】
請求項１〜５の何れかに記載の敷設方法を利用した交換用タイルカーペットの再使用方法であって、上記シート上に敷設した交換用タイルカーペットが汚れた際に、その汚れた交換用タイルカーペットを上記シート上から取り外して洗浄する一方で、該シート上には、洗浄後の交換用タイルカーペットを敷設する、
ことを特徴とする交換用タイルカーペットの再使用方法。
【発明の詳細な説明】
【技術分野】
【０００１】
本発明は、床面上に粘着剤で貼り付けることにより敷設された既設のカーペットに代えて、レンタル用のタイルカーペットのような、汚れる度に交換・洗浄して繰り返し使用するための交換用タイルカーペットを着脱自在に敷設する方法、及び、該方法を利用した交換用タイルカーペットの再使用方法に関するものである。
【背景技術】
【０００２】
オフィスビル等において、硬質の床面上にタイルカーペットを敷設する方法としては、床面又はそこに敷設するタイルカーペットの裏面に粘着剤を塗布し、その粘着剤の粘着力により上記タイルカーペットを床面上に貼り付ける方法が従来から採用されている。
ところで、カーペットが敷設された床においては、例えば室内への出入り口、又は廊下や通路の中央部等、人間の動線にあたる特定領域のカーペットが特に汚れ易い傾向にあるが、上述のように粘着剤を利用してタイルカーペットが敷設されている場合、通常、該カーペットを敷設したままの状態で掃除機による清掃やスチームによる洗浄等を行っているのが実状である。ところが、このような清掃・洗浄方法では、該カーペットのパイルの奥に入り込んだ埃や飲食物によるシミ等については完全に取り除くことが困難であり、汚れが徐々に目立つようになる。そのため、汚れが目立つようになった段階で、その汚れた特定領域のタイルカーペットを床面上から取り去って、床面上に残存している上記粘着剤を利用し新たな未使用のタイルカーペットを敷設しており、その一方で、取り去った使用済みタイルカーペットの多くは廃棄処分されている。よって、このような交換作業を繰り返す度に、床面上から取り去られた使用済みカーペットが廃棄物として残ることとなり、ゴミ問題や環境問題等の観点からも、このような使用済みカーペットを、できる限り再使用することが望まれる。
【０００３】
そこで、このような使用済みタイルカーペットを、工場へ移送し工業用洗濯機で洗浄することにより再使用することも考えられる。ところが、当該カーペットが上述のように粘着剤を利用し床面上に貼り付けられていた場合、床面上から取り去る際にその粘着剤が当該カーペットの裏面にも付着してしまう。そのため、例えば移送中や洗浄の際に、該粘着剤が表面側のパイル部に移行し付着してしまうと、再洗濯や手作業での除去が必要となり、場合によっては破棄せざるを得なくなる虞がある。特に、洗浄効果を高めるため高温洗浄する場合には、カーペットの裏面に付着した粘着剤の粘性が低下することから、このような問題が更に顕著となる。
なお、本発明に関連する先行技術文献としては、例えば、以下の特許文献１が挙げられるが、上述のような問題点を根本的に解決するものではない。
【特許文献１】特開２００２−７０２９９号公報
【発明の開示】
【発明が解決しようとする課題】
【０００４】
したがって、本発明の技術的課題は、床面上に粘着剤で貼り付けることにより敷設された既設のタイルカーペットに代えて交換用タイルカーペットを敷設するにあたり、該交換用タイルカーペットを汚れる度に交換・洗浄して繰り返し使用することができるように敷設する方法、及び、その敷設方法を利用した交換用タイルカーペットの再使用方法を提供することにある。
【課題を解決するための手段】
【０００５】
上記技術的課題を解決するため、本発明に係る交換用タイルカーペットの敷設方法は、床面上に粘着剤で貼り付けることにより敷設された既設のタイルカーペットに代えて、汚れる度に交換・洗浄して繰り返し使用するための交換用タイルカーペットを敷設する方法であって、上記既設のタイルカーペットを、上記粘着剤の少なくとも一部を床面に残存させた状態で床面上から取り除き、その既設のタイルカーペットを取り除いた床面領域の略全体に、可撓性のシートを、上記残存した粘着剤で貼り付けることにより敷設し、上記床面領域の全体にわたって、該シート上に、上記交換用タイルカーペットを着脱自在に敷設することを特徴としている。
【０００６】
本発明に係る交換用タイルカーペットの敷設方法の好ましい実施形態においては、上記シートが、少なくともその表面に自己粘着性を有しており、該表面を上にして敷設される。このとき、上記シートは、樹脂製の積層フィルムであって、その少なくとも表面側に自己粘着性樹脂層を有するものにより構成され、より具体的には、エチレンビニルアセテート、ポリエチレン及び自己粘着性エチレンビニルアセテートを裏面側から表面側に向けて順次積層したものにより構成される。
【０００７】
本発明に係る交換用タイルカーペットの敷設方法の他の好ましい実施形態においては、上記交換用タイルカーペットが、カットパイルのみ又はカットパイル及びループパイルをニトリルゴムから成る基材に植設することにより構成されている。
【０００８】
また、本発明に係る上記敷設方法を利用した交換用タイルカーペットの再使用方法は、上記シート上に敷設した交換用タイルカーペットが汚れた際に、その汚れた交換用タイルカーペットを上記シート上から取り外して洗浄する一方で、該シート上には、洗浄後の交換用タイルカーペットを敷設することを特徴としている。
【発明の効果】
【０００９】
このように本発明によれば、既設のカーペットを床面上に貼り付けていた粘着剤を利用して可撓性シートを床面上に敷設し、該シート上に交換用タイルカーペットを敷設するという極めて簡単な方法により、該交換用タイルカーペットに上記粘着剤が付着するのを防止することができ、該交換用タイルカーペットを汚れる度に交換・洗浄して繰り返し使用できるように敷設することができる。そして、その結果、廃棄物の削減に寄与することができる。
【発明を実施するための最良の形態】
【００１０】
本発明は、硬質の床面上に粘着剤の粘着力で貼り付けることにより敷設された既設のタイルカーペットに代えて交換用タイルカーペットを敷設するにあたり、該交換用タイルカーペットを汚れる度に交換・洗浄して繰り返し使用することができるように敷設する点に主たる特徴を有するものである。以下の実施例においては、図１（ａ）に示すように、オフィスビル等における硬質の床面上に敷設されている既設のタイルカーペット８，８′（サイズ：５０．０×５０．０ｃｍ）のうち、特に汚れ易い傾向にある室内への出入り口２付近の床面上に敷設されている特定領域の既設のタイルカーペット８′に代えて、後述する交換用タイルカーペット１０を敷設する場合（図４（ａ）参照）について詳細に説明する。但し、本発明は以下の実施例に限定されるものではなく、例えば、玄関口、エレベーター内、エレベーターやエスカレーターの昇降口付近、あるいは通路の中央部など、人間等が往来する頻度が高い動線にあたる部分に敷設されている既設のタイルカーペット８′に代えて、上記交換用タイルカーペット１０を敷設する場合にも適用することができる。
【００１１】
また、概して、上記既設のタイルカーペット８，８′は、図１（ｂ）に示すように、床タイル４又は該タイルカーペット８，８′の裏面を構成する基材８Ａ，８Ａ′に、合成樹脂系あるいは合成ゴム系などの粘着剤６を塗布して、上記床タイル４上に貼り付けることにより、ずれ動いたり、めくれたりしないように敷設されている。そこで、本発明では、上記特定領域において既設のタイルカーペット８′を床タイル４上に貼り付けていた粘着剤６の粘着力を再利用することにより、上記交換用カーペット１０を着脱自在に敷設する。なお、図中の符号３は、上記床タイル４が敷設されている床材を示している。
【００１２】
以下に、本発明に係る交換用タイルカーペット１０の敷設方法の一実施例を、図面を参照しながら段階的に説明する。
先ず、図２（ａ）及び図２（ｂ）に示すように、特に汚れ易い傾向にある特定領域の上記既設のタイルカーペット８′のみを、それぞれ上記粘着剤６の少なくとも一部を床タイル４に残存させた状態で該床タイル４上から取り除く。
【００１３】
次に、図３（ａ）及び図３（ｂ）に示すように、上記既設のタイルカーペット８′を取り除いた床タイル４の領域のほぼ全体に、少なくとも表面１２ａに自己粘着性を有する可撓性シート１２を、該表面１２ａを上面側に配して、上記床タイル４上に残存した粘着剤６の粘着力で貼り付けることにより敷設する。
【００１４】
ここで、上記可撓性シート１２は、具体的には、図５に示すように、エチレンビニルアセテート製のフィルム１２Ａ、ポリエチレン製のフィルム１２Ｂ、及び自己粘着性エチレンビニルアセテート製のフィルム１２Ｃを、インフレーション成形によって順次積層した３層の積層フィルムとして構成されている。そして、上記自己粘着性エチレンビニルアセテート製のフィルム１２Ｃを表面１２ａ側に配することにより、当該シート１２はその表面１２ａに自己粘着性を有するものとして構成されている。当該シート１２のサイズとしては、粘着剤６が塗布されている上記床タイル４上に対する敷設・施工がし易く、且つ、後に該シート１２上に敷設する交換用タイルカーペット１０の裏面（基材１０Ａ）に対し、床タイル４上の粘着剤６が付着しにくいサイズとする必要性があり、具体的には、既設のタイルカーペット８′とほぼ同形同大（約５０．０×５０．０ｃｍ、望ましくは４９．５×４９．５ｃｍ）とするのが適切である。
【００１５】
なお、当該シート１２の表面１２ａを構成する上記フィルム１２Ｃの自己粘着性が、その上に敷設した上記交換用タイルカーペット１０の裏面に対して移行性が無く、しかも、該カーペット１０がずれ動いたり、めくれたりしない程度の摩擦抵抗力を有するものであることはいうまでもない。
また、可撓性シート１２は、上述した具体的な積層フィルムに限定されるものではなく、例えば、塩化ビニル、ポリオレフィン（ポリエチレン，ポリプロピレン）又はＰＥＴ等から成る自己粘着性フィルムを含むものであっても良い。
【００１６】
一方、上記可撓性シート１２のシート厚さＴは、その敷設作業を容易にすると同時に、上記交換用タイルカーペット１０を該シート１２上に敷設した際に、その上を往来する人間がつまずいたり、上記出入り口２のドアが引っ掛かったりするのを防止するため、適度の腰（弾力・粘りなど）を確保することができ、且つ、上記交換用タイルカーペット１０の周囲に敷設されている既設のタイルカーペット８との間に可及的に段差ができない程度の厚さである必要がある。具体的には、約５０〜１５０μｍの厚さであることが好ましく、より好ましい形態においては、上記各フィルム１２Ａ〜１２Ｃをそれぞれ約３０μｍの厚さとすることにより、シート全体として約９０μｍの厚さを有している。
【００１７】
なお、上記可撓性シート１２のサイズは、上述したように、上記既設のタイルカーペット８′とほぼ同形同大に形成することにより、該可撓性シート１２を、上記既設のタイルカーペット８′が取り除かれた個別の床タイル４の領域上にそれぞれ敷設するものとして構成されるものであるが、それに限定されるものではなく、複数の上記既設のタイルカーペット８′を取り除いた床タイル４の領域とほぼ同形同大の一枚の可撓性シートで構成する等、必要に応じて様々な形状や大きさに形成することができる。
また、上記可撓性シート１２は、その少なくとも表面１２ａに自己粘着性を有するものであれば足りるものであるが、上記床タイル４上に塗布されている粘着剤６のみでは、当該シート１２と床タイル４との間の粘着性を十分に確保できない場合などには、表裏両面に自己粘着性を有する可撓性シートを使用することもできる。
【００１８】
そして、次の工程においては、図４（ａ）及び図４（ｂ）に示すように、上記既設のカーペット８′を取り除いた床タイル４の領域をほぼ全体にわたって覆うように敷設した上記可撓性シート１２上に、既設のタイルカーペット８′と同形同大の交換用タイルカーペット１０を着脱自在に敷設する。このとき、上記床タイル４上の粘着剤６と交換用タイルカーペット１０との間には、上記可撓性シート１２が介在しているので、該タイルカーペット１０の裏面すなわち基材１０Ａに対し、上記粘着剤６が移行して付着することがなく、しかも、該基材１０Ａ（ニトリルゴム）に添加されている添加物の影響によって床タイル４が変色したり汚染されたりするのを防止することもできる。
【００１９】
ここで、上記交換用タイルカーペット１０は、具体的には、ニトリルゴムから成る基材１０Ａの表面に、カットパイルのみ又はカットパイル及びループパイルから成る表層材１０Ｂを植設することにより構成したもので、その基材１０Ａを上記可撓性シート１２の自己粘着性を有する表面１２ａに直接当接させて敷設することにより、ずれ動いたり、めくれたりしないようになっている。該交換用タイルカーペット１０としては、寸法安定性や洗濯耐久性に優れていて、高温下で洗浄したとしても収縮や歪み等が可及的に生じないものが好適に用いられる。また、上記表層材１０Ｂとしては、ポリエステル繊維、アクリル繊維、ナイロン繊維などから成る一般的なパイルを使用することができ、敷設場所に応じて、該表層材１０Ｂのパイルに帯電防止加工や吸塵剤加工等の各種加工を施して使用したり、あるいは、無加工の状態で使用したりすることもできる。
【００２０】
ところで、本発明を実施するうえでは、繰り返し再使用された交換用タイルカーペット１０の消耗度（痛み度合）が個体によって異なってくる虞がある。そこで、そのような個体差を目立たないようにするために、予め上記パイルの植設方向が互い違いになるように、所謂「市松模様」に敷設することが望ましい。このような場合、上記交換用タイルカーペット１０の裏面を構成する基材１０Ａに、上記パイルの植設方向を示す印を、例えば凹凸に刻印した矢印等で表示しておけば、一目でパイルの植設方向を確認することができる。
【００２１】
以上、本発明に係る交換用タイルカーペットの敷設方法の一実施例について詳述したが、この敷設方法を利用して交換用タイルカーペット１０を上記可撓性シート１２上に敷設した後、該タイルカーペット１０が再び汚れてしまった場合には、その汚れたタイルカーペット１０を上記シート１２上から取り外して洗浄する一方で、その汚れたタイルカーペット１０を取り除いた該シート１２上には、洗浄後のきれいな交換用タイルカーペット１０を敷設する。そしてこのような交換作業を繰り返すことにより、該交換用タイルカーペット１０を繰り返し再使用する。
【００２２】
このような交換用タイルカーペット１０の再使用方法の一具体例としては、例えば、該交換用タイルカーペット１０をレンタルして繰り返し再使用する以下のようなビジネスモデルが考えられる。
先ず、第１段階として、交換用タイルカーペット１０をレンタルする業者が、顧客と契約を交わした上で、上記可撓性シート１２と交換用タイルカーペット１０を準備してその顧客のもとへ赴き、上記敷設方法を利用して、その持参した上記可撓性シート１２及び交換用タイルカーペット１０を床面に敷設する。なお、取り除いた既設のタイルカーペット８′は、契約上の取り決めにより顧客又は業者が保存しておく。
【００２３】
次に、第２段階として、上記交換用タイルカーペット１０を敷設してから所定期間後又は顧客からの要請により、業者は洗浄後のきれいな交換用タイルカーペット１０を準備して再度顧客のものとへ赴き、汚れた交換用タイルカーペット１０を上記シート１２上から取り除いて、そこに持参した交換用タイルカーペット１０を敷設する。
【００２４】
そして、第３段階として、業者は汚れた交換用タイルカーペット１０を回収して工場へ移送し、そこで該カーペット１０を工業用洗濯機にて高温下で洗浄し乾燥させて新品同様の状態に仕上げ、その洗浄後のカーペット１０を再び交換用タイルカーペット１０として使用する。
【００２５】
通常、上記第１段階〜第３段階を繰り返すことになるが、万が一顧客との契約を解除した場合には、床面に敷設した上記シート１２及び交換用タイルカーペット１０を取り除いて回収し、床面に残存している粘着剤６の粘着力を再利用して、保存しておいた既設のタイルカーペット８′を再度敷設する。
そのため、原状回復を容易且つ短時間で行うことができ、しかも、そのとき廃棄するのは、粘着剤６が付着して再使用できない可撓性シート１２のみである。
【００２６】
以上に詳述したように、本発明に係る交換用タイルカーペット１０の敷設方法、及び該方法を利用した交換用タイルカーペット１０の再使用方法によれば、既設のカーペット８′を床タイル４上に貼り付けていた粘着剤６を利用して可撓性シート１２を該床タイル４上に敷設し、該シート１２上に交換用タイルカーペット１０を敷設するという極めて簡単な方法により、該交換用タイルカーペット１０に上記粘着剤６が付着するのを防止することができ、該交換用タイルカーペット１０を汚れる度に交換・洗浄して繰り返し使用できるように敷設することができる。そのとき、上記可撓性シート１２が、その表面１２ａに自己粘着性を有しているため、その上に敷設した交換用タイルカーペット１０のずれやめくれを防止することができ、しかも、その粘着性が該タイルカーペット１０に移行する虞もない。そして、その敷設方法を利用して、交換用タイルカーペット１０を繰り返し再使用することにより、汚れる度にタイルカーペットを廃棄する必要がなくなり、廃棄物の削減に寄与することができる。
【図面の簡単な説明】
【００２７】
【図１（ａ）】本発明に係る交換用タイルカーペットの敷設方法を利用して交換する対象となる既設のタイルカーペットの敷設態様を示す外観斜視図である。
【図１（ｂ）】図１（ａ）の要部拡大断面図である。
【図２（ａ）】本発明に係る交換用タイルカーペットの敷設方法において、既設のタイルカーペットを取り除いた態様を示す外観斜視図である。
【図２（ｂ）】図２（ａ）の要部拡大断面図である。
【図３（ａ）】本発明に係る交換用タイルカーペットの敷設方法において、既設のタイルカーペットを取り除いた床面領域に可撓性シートを敷設した状態を示す外観斜視図である。
【図３（ｂ）】図３（ａ）の要部拡大断面図である。
【図４（ａ）】本発明に係る交換用タイルカーペットの敷設方法において、可撓性シート上に交換用タイルカーペットを敷設した状態を示す外観斜視図である。
【図４（ｂ）】図４（ａ）の要部拡大断面図である。
【図５】可撓性シートの構成を示す部分拡大断面図である。
【符号の説明】
【００２８】
３    床材
４    床タイル
６    粘着剤
８，８′  既設のタイルカーペット
８Ａ，８Ａ′，１０Ａ  基材
１０    交換用タイルカーペット
１２    可撓性シート
１２Ａ  フィルム（エチレンビニルアセテート）
１２Ｂ  フィルム（ポリエチレン）
１２Ｃ  フィルム（自己粘着性エチレンビニルアセテート）
１２ａ  表面
【図１（ａ）】
2008248569.tif 000003
【図１（ｂ）】
2008248569.tif 000004
【図２（ａ）】
2008248569.tif 000005
【図２（ｂ）】
2008248569.tif 000006
【図３（ａ）】
2008248569.tif 000007
【図３（ｂ）】
2008248569.tif 000008
【図４（ａ）】
2008248569.tif 000009
【図４（ｂ）】
2008248569.tif 000010
【図５】
2008248569.tif 000011